(57)【要約】【課題】  機器筐体の背面に移動しなくてもインタフェースボードの取付、交換および結線を可能にした電子機器のインタフェース装置を提供する。【解決手段】  機器筐体２の側面に形成された凹所からなるインタフェース収納部５に一箇所が空隙となった環状の保持部９を設け、インタフェースボード６には、機器筐体２の側方から装着して固定できるように、側面の一箇所がカットされた円柱状の取付凸部１５を形成する。結線したインタフェースボード６をインタフェース収納部５の保持部９に挿入し、９０°回転させて保持する。【選択図】        図３
2006281561.tif 000002
【特許請求の範囲】
【請求項１】
機器筐体の側面に形成された凹所からなるインタフェース収納部と、該インタフェース収納部に装着されるインタフェースボードとからなる電子機器のインタフェース装置において、前記インタフェースボードは、機器筐体の側方から装着して固定することを特徴とする電子機器のインタフェース装置。
【発明の詳細な説明】
【技術分野】
【０００１】
本発明は、各種通信方式に適したインタフェースボードを装着、交換可能とした電子機器のインタフェース装置に関する。
【背景技術】
【０００２】
たとえばラベルに印字を行うラベルプリンタには、インタフェースを介して外部のホスト・コンピュータ等に接続して使用するものがある。このようなプリンタでは、外部のホスト・コンピュータからのコマンドを受信するための通信インタフェースボードを装着、交換可能にしたものがある。
【０００３】
たとえば特許文献１には、プリンタ筐体の背面にインターフェースボードの挿入口を設けてインタフェースボードを挿抜できるようにしたラベルプリンタのインタフェース装置が開示されている。
【０００４】
しかし、特許文献１のプリンタのインタフェース装置では、プリンタ筐体が大型化した場合に以下の問題がある。
即ち、プリンタに限らず大型の電子機器を設置する場合、作業場や事務所の隅や壁面に背を向けて設置するのが通常である。
【０００５】
従って、インタフェースボードの取付、交換時にはプリンタの背面に作業者が移動して取付、交換をする必要がある。また、既にインタフェースボードが装着されている場合でも、電子機器を移動するとき等には、一旦インタフェースボードに接続されたケーブル等の結線を外さなければならない。
【０００６】
そして、プリンタのインタフェースボードに接続する通信ケーブルには、コネクタ形状が大きく、不定形で、ピン数の多いものが多いため、インタフェースボードに結線するためにも作業者がプリンタの背面に移動しなければならないという問題がある。
【０００７】
【特許文献１】特開２００２−１６９６６２号公報
【発明の開示】
【発明が解決しようとする課題】
【０００８】
本発明は上記従来技術の問題に鑑みなされたものであって、本発明は、機器筐体の背面に移動しなくてもインタフェースボードの取付、交換および結線が可能にした電子機器のインタフェース装置を提供することを目的とする。
【課題を解決するための手段】
【０００９】
上記課題を解決するため、本発明が採用する構成の特徴は、機器筐体の側面に形成された凹所からなるインタフェース収納部と、該インタフェース収納部に装着されるインタフェースボードとからなる電子機器のインタフェース装置において、前記インタフェースボードは、機器筐体の側方から装着して固定することにある。
【００１０】
上記構成によれば、電子機器の筐体に取り付ける前にインタフェースボードに結線を行い、プリンタの側面からインタフェースボードを取付、交換することができる。従って、大型の電子機器であっても一旦設置や移動をした後に、電子機器を移動させることなく簡単に結線や配線をすることができる。
【発明の効果】
【００１１】
本発明によれば、背面側に結線や配線の為のインタフェースを備えた電子機器を移動させなくても配線や結線、インタフェースボードの交換ができる。従って、キャスター付のラック等のＯＡ機器専用家具を用いなくても電子機器を快適に使用できる。
【発明を実施するための最良の形態】
【００１２】
以下、本発明を実施するための最良の形態を、図１ないし図８を用いて説明する。
【００１３】
図１および図３はプリンタ１を背面側から見た斜視図、図２および図４は前記プリンタ１の水平方向断面である。
【００１４】
図中、プリンタ１の機器筐体２の背面３にはＡＣインレット４、側面には凹所からなるインタフェース収納部５が設けられている。
【００１５】
インタフェースボード６には通信ケーブル７が、ソケット８によって接続されるようになっている。
【００１６】
インタフェース収納部５には、一箇所が空隙となった環状の保持部９およびインタフェースボード６を固定するねじ１０を締着するためのねじ座部１１が一体形成されている、そして、ねじ座部１１の奥（機器筐体２の内側）には、後述する図７，図８に示すのと同様のマイクロスイッチが設置されており、ねじ１０を締め付けたときに該マイクロスイッチが操作されるようになっている。
【００１７】
１２はプリンタ１のメイン基板１３上に設けられたコネクタで、インタフェース収納部５内に露出しており、インタフェースボード６をプリンタ１に固定したときにインタフェースボード６側のコネクタ１４と接続される。
【００１８】
インタフェースボード６の一端側には側面の一箇所がカットされた円柱状の取付凸部１５が形成されており、前記インタフェース収納部５の環状保持部９に挿入（図３，図４）し、９０°回転させることによって保持される。
【００１９】
図５に示すのは、電子機器の電源が「切」状態を経ないとインタフェースボードの取付が有効にならないようにする構成を示す図である。
図中、ＳＴＥＰ１で「ＳＷ」と記したのは前述ねじ座１１に設けたマイクロスイッチを表し、ＳＴＥＰ２で「I/F種」と記したのはインタフェースボードの種別を表す。ＳＴＥＰ３で「ドライバ」と記したのはインタフェースボードを有効に動作させるためのデバイスドライバを表し、ＳＴＥＰ４で「ドライバインストール」と記したのは、プリンタ１が自らＳＴＥＰ２で判別したインタフェースボードに適したデバイスドライバをインストールする操作を表す。ＳＴＥＰ５で「リセット」と記したのは、電源リセットを表す。即ち、当実施の形態では、その構造上、ねじ座１１に締着したねじ１０を一旦外さないとインタフェースボード６を交換できないので、インタフェースボードを交換しても一旦電源リセットを経るまではインタフェースボード６に通電されない。これにより、新しく装着したばかりのインタフェースボードが破壊されるのを防止でき、また、プリンタ１に暴走などの悪影響が発生するのも防止できる。
【００２０】
次に、図６ないし図８は他の実施の形態を示し、本実施の形態においては前述したのと同一の構成要素に同一符号を付し、その説明を省略する。
本実施の形態の特徴は、インタフェースボード６を機器筐体２の側方からインタフェース収納部５に挿入後、プリンタ１の前面側にスライドさせて取り付けるようにしたことにある。図中、２０はインタフェースボード６に設けた係合用の爪であり、インタフェース収納部５側に形成した係合穴２１に係合する。
【００２１】
２２（図７，図８参照）はプリンタ１のメイン基板１３に設けたマイクロスイッチであり、前述の実施の形態で説明したのと同じ動作を行う。２３はインタフェースボード６の設けた係合用突起であり、インタフェース収納部５側に形成した係合溝２４に係合する。
【００２２】
かくの如く構成される本実施の形態においても、前述した図５の流れ図により、電子機器の電源が「切」状態を経ないとインタフェースボードの取付が有効にならないようにすることができる。
【図面の簡単な説明】
【００２３】
【図１】本発明の実施の形態に係るプリンタを背面側から見た状態を示す外観斜視図である。
【図２】図１に示すプリンタの水平方向の断面図である。
【図３】インタフェースボードの取付方法を示す図１と同様の外観斜視図である。
【図４】図３中のプリンタの水平方向の断面図である。
【図５】インタフェースボードを認識して動作を可能とする操作を説明する流れ図である。
【図６】他の実施の形態を示す図１と同様の外観斜視図である。
【図７】図６中のプリンタの水平方向の断面図である。
【図８】インタフェースボードの取付方法を説明するための図７と同様の断面図である。
【符号の説明】
【００２４】
１…プリンタ、２…機器筐体、３…背面、５…インタフェース収納部、６…インタフェースボード、７…ケーブル、８…ソケット
１３…貼付部、１４…ＲＦＩＤ保持部、１５…印字記録部、１６…バーコード、１７，１８，３１，３２…折り曲げ部、１９…剥離紙、２０…検出マーク、２２…切取線、２３…血液バッグ、２４…ビン、２８…箱状容器、３０…ミシン目（またはスリット）、３１，３２…狭幅部
【図１】
2006281561.tif 000003
【図２】
2006281561.tif 000004
【図３】
2006281561.tif 000005
【図４】
2006281561.tif 000006
【図５】
2006281561.tif 000007
【図６】
2006281561.tif 000008
【図７】
2006281561.tif 000009
【図８】
2006281561.tif 000010